(57)【要約】【課題】包装容器が一定以上に大きくなっても、連結片をほぼ垂直に支持して菓子などの脱落を防止する。【解決手段】スリーブ２０の一端開口を通して容器本体１０が摺動自在に嵌挿された包装容器１において、スリーブ２０の左右の側面部２２裏面間の間隔、容器本体１０の連結片１６の幅、底面板１２の幅の順に小さく設定され、また、連結片１６の左右端縁にその上端部１６ｂを除いて底面板１２の幅よりも幅狭となる切欠部が形成されるとともに、連結片１６に対応して左右の内方側面板１８の前端側上端縁に切欠部１８ａが形成される。そして、スリーブ２０の左右の側面部２２に沿って支持された容器本体１０の左右の内方側面板１８の切欠部１８ａに連結片１６の上端部１６ｂが嵌め込まれて係止されることにより、連結片１６の倒れが防止される。【選択図】図７
2006008135.tif 000002
【特許請求の範囲】
【請求項１】
少なくとも左右の側面板、背面板、底面板、正面板を備えた容器本体と、上面部、左右の側面部および底面部を備え、前後両端が開口されたスリーブと、から構成され、スリーブにおける上面部の前後一端側に切欠部が形成される一方、容器本体における正面板または背面板の上端縁に、対向する背面板または正面板に向かって引き出し片が水平に連設され、引き出し片の他端縁に下方に向かって連結片が垂直に連設され、連結片の下端縁に水平に糊代が連設されて底面板に貼着され、スリーブの上面部に形成された切欠部に容器本体の引き出し片が露出するように、スリーブの前後一端側開口を通して容器本体が摺動自在に嵌挿された包装容器において、スリーブの左右の側面部の内面間隔、容器本体の連結片の幅、容器本体の底面板の幅の順に小さく設定され、また、連結片の左右端縁にその上端部を除いて底面板の幅よりも幅狭となる切欠部が形成されるとともに、連結片に対応して左右の側面板の前後一端部側上端縁に切欠部が形成され、スリーブに容器本体を嵌挿した際、スリーブの左右の側面部に沿って支持された容器本体の左右の側面板の切欠部に連結片の上端部が嵌合されることを特徴とする包装容器。
【請求項２】
前記容器本体の正面板または背面板の幅が、スリーブの左右の側面部の内面間隔よりも大きく設定されていることを特徴とする請求項１記載の包装容器。
【発明の詳細な説明】
【技術分野】
【０００１】
本発明は、菓子などの包装容器に関するものである。
【背景技術】
【０００２】
従来、上面が開口された箱状の容器本体と、前後両端が開口された筒状のスリーブと、から構成され、菓子などが収容された容器本体をスリーブの一端側開口を通して摺動自在に嵌挿してなる菓子などの包装容器が提案されている。
【０００３】
このような包装容器においては、包装を開封した後、スリーブから容器本体を引き出して、容器本体に収容された菓子などを取り出すようにしている。この場合、容器本体に収容された菓子などが簡単に脱落することがないように、容器本体の底面板に貼着された糊代と、容器本体の正面板の上端縁に連設された引き出し片とを結ぶ連結片の端縁に突起を設ける一方、突起に対応してスリーブに切れ目を形成し、スリーブに対して容器本体を押し込んだ際、スリーブの切れ目に突起を嵌め入れて係止させ、連結片をほぼ垂直に支持するようにしている（例えば、特許文献１参照）。
【特許文献１】特許第２６３３４６３号公報
【発明の開示】
【発明が解決しようとする課題】
【０００４】
ところで、前述した包装容器は、通常コートボールで形成されていることから、剛性が低く、包装容器の左右の側面間の間隔が一定以上に大きくなると、包装容器を把握した際、スリーブの上面部が上方に湾曲し、突起から切れ目が離脱して連結片の係止状態が解除されるという欠点がある。このため、連結片を垂直に支持することができず、連結片に菓子などの負荷が作用した場合、連結片が外方に向けて倒れ込み、菓子などが菱形状に変形した連結片および引き出し片を乗り越えて外部に脱落するおそれがある。
【０００５】
本発明は、このような問題点に鑑みてなされたもので、包装容器が一定以上に大きくなっても、連結片をほぼ垂直に支持して菓子などの脱落を防止することのできる包装容器を提供するものである。
【課題を解決するための手段】
【０００６】
本発明は、少なくとも左右の側面板、背面板、底面板、正面板を備えた容器本体と、上面部、左右の側面部および底面部を備え、前後両端が開口されたスリーブと、から構成され、スリーブにおける上面部の前後一端側に切欠部が形成される一方、容器本体における正面板または背面板の上端縁に、対向する背面板または正面板に向かって引き出し片が水平に連設され、引き出し片の他端縁に下方に向かって連結片が垂直に連設され、連結片の下端縁に水平に糊代が連設されて底面板に貼着され、スリーブの上面部に形成された切欠部に容器本体の引き出し片が露出するように、スリーブの前後一端側開口を通して容器本体が摺動自在に嵌挿された包装容器において、スリーブの左右の側面部の内面間隔、容器本体の連結片の幅、容器本体の底面板の幅の順に小さく設定され、また、連結片の左右端縁にその上端部を除いて底面板の幅よりも幅狭となる切欠部が形成されるとともに、連結片に対応して左右の側面板の前後一端部側上端縁に切欠部が形成され、スリーブに容器本体を嵌挿した際、スリーブの左右の側面部に沿って支持された容器本体の左右の側面板の切欠部に連結片の上端部が嵌合されることを特徴とするものである。
【０００７】
本発明によれば、スリーブに容器本体を嵌挿することにより、容器本体の左右の側面板は、スリーブの左右の側面部に沿ってそれぞれ垂直に支持され、また、連結片の左右の上端部が、容器本体の左右の側面板の前後一端側上端縁に形成された切欠部にそれぞれ嵌合されている。
【０００８】
したがって、連結片に菓子などの負荷が直接作用したとしても、左右の側面板の各切欠部にそれぞれ嵌まり込んでいる連結片の左右の上端部が、切欠部の周縁に係止されるため、連結片は外方に向けて倒れることなくほぼ垂直に支持されている。
【０００９】
一方、スリーブの上面部の切欠部を通して容器本体の引き出し片を押圧し、引き出し片を正面板または背面板と重なるように押し潰して、引き出し片および正面板または引き出し片および背面板をスリーブの前後一端縁から突出させることにより、突出させた引き出し片および正面板または引き出し片および背面板を摘んでスリーブから容器本体を引き出し、容器本体に収容された菓子などを取り出すことができる。この際、引き出し片が押し潰されると、引き出し片に連設された連結片の左右の上端部が変形して左右の側面板の各切欠部から脱落し、連結片が倒れ込んで底面板上に重ねられる。
【００１０】
菓子などの取り出しを終了すれば、スリーブに対して容器本体を押し込むことにより、スリーブによって容器本体を覆うことができる。この際、前述とは逆に、連結片の左右の上端部が変形して左右の側面板の各切欠部に嵌まり込み、その周縁に係止されることから、連結片の倒れ込みが規制される。
【００１１】
この結果、引き出し片を上方から積極的に押圧しない限り、連結片が倒れ込むことはなく、菓子などの脱落を確実に防止することがことができる。この場合、スリーブの左右の側面部にそれぞれ接してほぼ垂直に支持される容器本体の左右の側面板の切欠部と、連結片の関係によってのみ連結片の倒れ込みを防止することから、包装容器が大きくなり、スリーブの上面部が上方に湾曲したとしても、連結片の倒れ込みを防止でき、菓子などの脱落を確実に防止することができる。
【００１２】
本発明において、前記容器本体の正面板または背面板の幅が、スリーブの左右の側面部の内面間隔よりも大きく設定されていると、スリーブの前後一端側開口端縁に正面板または背面板の左右端縁部が当接し、それ以上の容器本体の押し込みを規制することができる。
【発明の効果】
【００１３】
以上のように本発明によれば、包装容器が一定以上に大きくなっても、連結片をほぼ垂直に支持して菓子などの脱落を防止することができる。
【発明を実施するための最良の形態】
【００１４】
以下、本発明の実施の形態を図面に基づいて説明する。
【００１５】
図１乃至図３には、本発明の包装容器１の一実施形態が示されている。
【００１６】
この包装容器１は、菓子などを収容する容器本体１０と、該容器本体１０の外周面に沿って摺動自在に嵌挿されたスリーブ２０と、から構成されている。
【００１７】
容器本体１０は、コートボールを図２に示す展開図にしたがって打ち抜いた後、折り目に沿って折り込むこととともに、所定部分を貼着して組み立てられる。
【００１８】
この容器本体１０は、図２の展開図において、正面板１１の左端縁に底面板１２、背面板１３およびカバー板１４が折り目ａ，ｂ，ｃを介して順に連設されるとともに、正面板１１の右端縁に引き出し片１５、連結片１６および糊代１７が折り目ｄ，ｅ，ｆを介して順に連設される一方、底面板１２の上下各端縁にそれぞれ内方左側面板１８および内方右側面板１９が折り目ｇ，ｈを介して連設され、また、カバー板１４の上下各端縁にそれぞれ外方左側面板１８Ａおよび外方右側面板１９Ａが折り目ｉ，ｊを介して連設され、さらに、内方左側面板１８および内方右側面板１９の各左端縁にフラップ１９が折り目ｋを介してそれぞれ連設されて構成されている。
【００１９】
そして、内方左側面板１８の右端部近傍の上端縁および内方右側面板１９の右端部近傍の下端縁には、それぞれ直角二等辺三角形状の切欠部１８ａ，１９ａが形成されている。
【００２０】
また、底面板１２の左右方向略中間部の正面板１１よりには、折り目ａと平行に折り目ｇ，ｈにわたって折り目ｍが形成されている他、内方左側面板１８および内方右側面板１９には、前述の折り目ｍと折り目ｇ，ｈとの交点を始点として、それぞれ斜め方向の切れ目ｎが複数のつなぎ部を有して形成されている。
【００２１】
なお、カバー板１４の左端縁部には、弓形状の切欠部１４ａが形成される一方、外方左側面板１８Ａおよび外方右側面板１９Ａの左端縁部は、斜め方向に切除されており、底面板１２に対して折り目ｂに沿って背面板１３を垂直に折曲するとともに、背面板１３に対して折り目ｃに沿ってカバー板１４を水平に折曲した際に、外方左側面板１８Ａおよび外方右側面板１９Ａの切除された端縁部が切れ目ｎと重なるように設定されている。
【００２２】
ここで、正面板１１の幅（内方左側面板１８側外端縁と内方右側面板１９側外端縁との間隔）Ａは、後述するスリーブ２０の左側面部２２内面と右側面部２４内面との間隔Ｂよりも大きく設定されている。このため、スリーブ２０に容器本体１０を嵌挿した場合、スリーブ２０の左側面部２２の前端縁および右側面部２４の前端縁に正面板１１の左右各端縁部がそれぞれ当接し、スリーブ２０に対して容器本体１０がそれ以上進入することがないように規制することができる。
【００２３】
また、引き出し片１５の幅（内方左側面板１８側外端縁と内方右側面板１９側外端縁との間隔）Ｃは、スリーブ２０の左側面部２２内面と右側面部２４内面との間隔Ｂよりも小さく、かつ、底面板１２の幅（折り目ｇ，ｈ間の間隔）Ｄよりもわずかに大きく設定されている。
【００２４】
さらに、正面板１１の高さ（折り目ａ，ｄ間の間隔）Ｅは、内方左側面板１８の高さ（折り目ｇと外端縁との間隔）および内方右側面板１９の高さ（折り目ｈと外端縁との間隔）Ｆよりもわずかに大きく設定されているとともに、スリーブ２０の上面部２３内面と底面部２１内面との間隔Ｇよりもわずかに小さく設定されている。
【００２５】
さらにまた、連結片１６の内方左側面板１８側外端縁および内方右側面板１９側外端縁には、引き出し片１５の幅Ｃと一致する幅部分と、引き出し片１５の幅Ｃよりも短小な糊代１７の幅と一致する幅部分とを有するように、それぞれ切欠部１６ａが形成されている。この切欠部１６ａの高さ（折り目ｆから幅の変化する位置までの間隔）Ｈは、内方左側面板１８の折り目ｇから切欠部１８ａの底端までの間隔および内方右側面板１９の折り目ｈから切欠部１９ａの底端までの間隔よりもわずかに大きく設定されている。すなわち、連結片１６の、切欠部１６ａを除いた、引き出し片１５の幅と同一の幅を有する引き出し片１５側端縁部１６ｂの長さは、内方左側面板１８および内方右側面板１９に形成された切欠部１８ａ，１９ａの深さよりもわずかに小さく設定されている。
【００２６】
なお、引き出し片１５の奥行き（折り目ｄ，ｅ間の間隔）は、折り目ａから切欠部１８ａ，１９ａまでの間隔に設定されている。
【００２７】
このため、容器本体１０を組み立てた際、引き出し片１５の左右各端縁部は、内方左側面板１８および内方右側面板１９の各上端縁の上方に位置するとともに、引き出し片１５に連設された連結片１６の、切欠部１６ａを除く引き出し片１５側端縁部１６ｂが内方左側面板１８および内方右側面板１９の切欠部１８ａ，１９ａに嵌まり込むようになっている。
【００２８】
次に、このように構成された容器本体１０の組み立て手順について説明する。  まず、図２の展開図にしたがってコートボールを打ち抜くとともに、裏面が上面を向くように反転させて、糊代１７の裏面に接着剤を塗布した後、引き出し片１５を正面板１１に対して折り目ｄに沿って谷折りし、糊代１７を底面板１２に貼着する。また、各フラップ１９を内方左側面板１８および内方右側面板１９に対してそれぞれ折り目ｋ，ｋに沿って谷折りするとともに、内方左側面板１８および内方右側面板１９を底面板１２に対してそれぞれ折り目ｇ，ｈに沿って谷折りする。次いで、外方左側面板１８Ａおよび外方右側面板１９Ａをカバー板１４に対してそれぞれ折り目ｉ，ｊに沿って谷折りした後、背面板１３を底面板１２に対して折り目ｂに沿って谷折りする一方、カバー板１４を背面板１３に対して折り目ｃに沿って谷折りする。この際、内方左側面板１８および内方右側面板１９の外方にそれぞれ外方左側面板１８Ａおよび外方右側面板１９Ａが位置するように折曲する。さらに、正面板１１を底面板１２に対して折り目ａに沿って谷折りするように起立させることにより、容器本体１０が形成される（図１参照）。
【００２９】
この場合、図４および図５に示すように、内方左側面板１８および内方右側面板１９の各上端縁からわずかな間隔をおいて引き出し片１５の左右各端縁部が位置する一方、内方左側面板１８および内方右側面板１９に形成された各切欠部１８ａ，１９ａに、連結片１６の、切欠部１６ａを除いた引き出し片１５側端縁部、すなわち、連結片１６の上端部１６ｂが嵌まり込んでいる。
【００３０】
なお、容器本体１０に菓子などを収容するには、カバー板の１４の折曲に先立って、底面板１２、内方左側面板１８、内方右側面板１９および連結片１６によって区画される空間に供給すればよい。
【００３１】
一方、スリーブ２０は、図３の展開図において、底面部２１の上端縁に、左側面部２２、上面部２３、右側面部２４および糊代２５が折り目ｐ，ｑ，ｒ，ｓを介して順に連設されて構成されている。そして、上面部２３には、その右端縁部に弓形状の切欠部２３ａが形成されている。
【００３２】
ここで、スリーブ２０の内寸は、スリーブ２０に対して容器本体１０を円滑に摺動することができるように、容器本体１０の外寸に対応して設定されている。
【００３３】
次に、このように構成されたスリーブ２０の組み立て手順について説明する。
【００３４】
まず、図３の展開図にしたがってコートボールを打ち抜くとともに、裏面が上面を向くように反転させた後、右側面部２４に対して糊代２５を折り目ｓに沿って谷折りし、糊代２５の表面に接着剤を塗布する。次いで、上面部２３に対して左側面部２２を折り目ｑに沿って谷折りし、底面部２１の裏面を糊代２５の表面に貼着する。その後、底面部２１に対して左側面部２２を折り目ｐに沿って谷折りするように起立させることにより、前後両端が開口されたスリーブ２０が形成される（図１参照）。
【００３５】
スリーブ２０が形成されたならば、スリーブ２０の前端開口を通して菓子などが収容された容器本体１０をその背面板１３側から嵌挿して押し込み、容器本体１０の周囲をスリーブ２０によって包囲した後、詳細には図示しないが、包装容器１をフィルムで包装して出荷される。
【００３６】
この場合、スリーブ２０の左側面部２２および右側面部２４の各内面に容器本体１０の外方左側面板１８Ａおよび外方右側面板１９Ａの各表面がそれぞれ接するとともに、上面部２３および底面部２１の各内面に容器本体１０のカバー板１４および底面板１２の各表面がそれぞれ接して支持される。
【００３７】
一方、店頭にて菓子などを購入した消費者が菓子などを食する場合は、フィルムを剥離した後（図６（ａ）参照）、スリーブ２０の上面部２３に形成された切欠部２３ａを通して容器本体１０の引き出し片１５を押圧し、引き出し片１５および正面板１１が重なるように押し潰す（図６（ｂ）参照）。
【００３８】
この際、内方左側面板１８および内方右側面板１９の各切欠部１８ａ，１９ａに嵌まり込んでいる連結片１６の左右の上端部１６ｂが変形しつつ該切欠部１８ａ，１９ａから離脱するとともに、引き出し片１５の左右の端縁部が変形しつつ、スリーブ２０の左側面部２２および右側面部２４に支持された内方左側面板１８および内方右側面板１９の各上端縁から脱落し、引き出し片１５が正面板１１上に重ねられる（図６（ｃ）参照）。このため、引き出し片１５および正面板１１がスリーブ２０の前端縁から突出することから、突出された引き出し片１５および正面板１１を摘んでスリーブ２０から容器本体１０を引き出すことができ、このため、容器本体１０に収容された菓子などを取り出すことができる（図６（ｄ）参照）。
【００３９】
この際、図８に示すように、スリーブ２０の底面部２１の前端縁に、容器本体１０の底面板部１２の折り目ｍを沿わせて、容器本体１０を外方に折り曲げることにより、切れ目ｎのつなぎ部が剥離されると同時に、底面板１２が折り目ｍに沿って折れ曲がり、容器本体１０の途中位置を開口することができ、この開口を通して菓子などを取り出すことができる。
【００４０】
一方、菓子などの取り出しを終了すれば、スリーブ２０に対して容器本体１０を押し込むことにより、容器本体１０に収容された菓子などの脱落を防止するように、スリーブ２０によって容器本体１０を覆うことができる。この場合、スリーブ２０の左側面部２２および右側面部２４に容器本体１０の外方左側面板１８Ａおよび外方右側面板１９Ａがそれぞれ接して垂直に支持されるとともに、内方左側面板１８および内方右側面板１９も略垂直に支持され、引き出し片１５が変形して、その左右の端縁部が内方左側面板１８および内方右側面板１９前端部側上端縁を越えてその上方に位置すると同時に、連結片１６の左右の上端部１６ｂが変形して左右の内方側面板１８，１９の各切欠部１８ａ，１９ａに嵌まり込み、その周縁に係止される。
【００４１】
この結果、連結片１６に菓子などの負荷が作用したとしても、連結片１６の左右の上端部１６ｂが、スリーブ２０の左側面部２２および右側面部２４にそれぞれ接してほぼ垂直に支持されている左右の内方側面板１８，１９の各切欠部１８ａ，１９ａの周縁に係止されていることから、連結片１６の左右の上端部１６ｂが、左右の内方側面板１８，１９の各切欠部１８ａ，１９ａから脱落することはなく、連結片１８の外方に向けての倒れ込みを確実に防止することができる。したがって、購入者が引き出し片１５を積極的に押圧して変形させない限り、連結片１６が倒れ込むことはなく、菓子などの脱落を確実に防止することがことができる。
【００４２】
しかも、スリーブ２０の左側面部２２および右側面部２４にそれぞれ接して略垂直に支持される容器本体１０の左右の内方側面板１８，１９の切欠部１８ａ、１９ａと、連結片１６の関係によってのみ連結片１６の倒れ込みを防止することから、包装容器１の幅が大きくなり、スリーブ２０の上面部２３が上方に湾曲したとしても、連結片１６の倒れ込みを確実に防止することができる。
【産業上の利用可能性】
【００４３】
以上説明したように、本発明の包装容器によれば、包装容器の大きさに関係なく連結片の倒れ込みによる菓子などの脱落を確実に防止することができ、有益である。
【図面の簡単な説明】
【００４４】
【図１】本発明の包装容器の一実施形態を示す斜視図である。
【図２】図１の包装容器を構成する容器本体の展開図である。
【図３】図１の包装容器を構成するスリーブの展開図である。
【図４】図１の容器本体の要部を拡大して示す左側面図である。
【図５】図１の容器本体の要部を拡大して示す平面図である。
【図６】図１の包装容器において、スリーブに対する容器本体の引き出し工程を一部省略して示す説明図である。
【図７】図１の包装容器において、スリーブと容器本体との関係を一部省略して示す斜視図である。
【図８】図１の包装容器に収容された菓子などを取り出す場合の説明図である。
【符号の説明】
【００４５】
１  包装容器
１０  容器本体
１１  正面板
１２  底面板
１３  背面板
１４  カバー板
１５  引き出し片
１６  連結片
１６ａ  上端部
１７  糊代
１８，１９  内方側面板
１８ａ，１９ａ  切欠部
２０  スリーブ
２１  底面部
２２，２４  側面部
２３  上面部
２３ａ  切欠部
２５  糊代
ａ，ｂ，ｃ，ｄ，ｅ，ｆ，ｇ，ｈ，ｉ，ｊ，ｋ，ｍ  容器本体の折り目
ｐ，ｑ，ｒ，ｓ  スリーブの折り目
【図１】
2006008135.tif 000003
【図２】
2006008135.tif 000004
【図３】
2006008135.tif 000005
【図４】
2006008135.tif 000006
【図５】
2006008135.tif 000007
【図６】
2006008135.tif 000008
【図７】
2006008135.tif 000009
【図８】
2006008135.tif 000010